(57)【要約】【課題】大気に含まれる低い濃度のホルムアルデヒドを短時間で検出すること。【解決手段】４−アミノ−４−フェニル−３−エン−２−オンと緩衝液とを含む発色液を少なくともシリカゲルを含有する基材に含侵させ、溶媒を揮散させて構成されている。【選択図】        なし【特許請求の範囲】
【請求項１】
４−アミノ−４−フェニル−３−エン−２−オンと緩衝液とを含む発色液を少なくともガス反応領域にシリカゲルを含有する板状の基材に含侵させ、溶媒を揮散させたホルムアルデヒド検知材。
【請求項２】
前記基材が、シリカゲル粒子を圧縮して板状に成形して構成されている請求項１に記載のホルムアルデヒド検知材。
【請求項３】
前記基材が、ベース材の表面にシリカゲル粒子の層を形成して構成されている請求項１に記載のホルムアルデヒド検知材。
【請求項４】
前記基材が、繊維とシリカゲル粒子とを混合して板状に漉いて構成されている請求項１に記載のホルムアルデヒド検知材。
【請求項５】
前記発色液が４−アミノ−４−フェニル−３−エン−２−オンを０．５ｗｔ％以上含む請求項１に記載のホルムアルデヒド検知材。
【請求項６】
前記緩衝液がりん酸緩衝液である請求項１に記載のホルムアルデヒド検知材。
【発明の詳細な説明】
【０００１】
【産業上の利用分野】
本発明は、環境中に存在するホルムアルデヒドを呈色反応で検出する検知材に関する。
【０００２】
【従来の技術】
最近、環境健康への高まりから、ホルムアルデヒドによる室内環境汚染が問題になっている。ホルムアルデヒドは新築住宅の建材や家具に含まれており、化学物質過敏症の人に「シックハウス症候群」と呼ばれる様々な症状を引き起こす原因の―つと見られている。
【０００３】
このような問題を解消するために、これら各方法に使用する試薬をろ紙等の多孔質担体に含浸させて、試薬の取り扱いを無くすることも考えられるが、このようにして構成された試験紙は、検出感度が低かったり、またバックグランド色が大きくて光学濃度計等により反応色を測定しようとすると、ダイナミックレンジが低くなって検出範囲が狭い等の問題があり、さらにはホルムアルデヒド以外のガスにより変色を受けやすい等の多くの問題があり、実用的な目的では使用することができない等の問題がある。
【０００４】
このような問題を解消するために、特許文献１に見られるように、ヒドロキシルアミンの酸性塩と、酸性領域に変色域を有する水素イオン濃度指示薬とを多孔質担体に展開して構成したホルムアルデヒド検知紙が提案されている。
これによれば、相対湿度が８０パーセント以上という特別な環境下においては、ホルムアルデヒド消毒後に環境中に残留する数ｐｐｍ程度の極めて濃度の低いホルムアルデヒドを検出することが可能であるものの、高湿度下に限られるため、測定可能範囲が限定されてしまうという不都合がある。
この問題を解消するため、特許文献２に見られるように、硫酸ヒドロキシルアミン、及び水素イオン濃度指示薬としてメチルイエロ、メチルオレンジ、ベンジルオレンジ、トロペオリンの中から選択された少なくとも１つとを多孔質担体に展開し、テープ上で自然に遊離している程度の硫酸に対する変色の度合を抑えて、保存性を高めたものなどが提案されている。
【特許文献１】特開平０７−５５７９２号公報
【特許文献２】特開平０７−２２９８８９号公報
【０００５】
【発明が解決しようとする課題】
しかしながら、シックハウス症候群の原因となる壁紙用接着剤から環境中に放散される程度の濃度のホルムアルデヒドを検出するには、長時間を要するという問題を抱えている。
本発明はこのような問題に鑑みてなされたものであって、その目的とするところはシックハウス症候群の原因となる濃度のホルムアルデヒドを短時間で検出できる感度の高い検知材を提供することである。
【０００６】
【課題を解決するための手段】
このような問題を解消するために本発明の検知材は、４−アミノ−４−フェニル−３−エン−２−オンと緩衝液とを含む発色液を少なくともガス反応領域にシリカゲルを含有する基材に含侵させ、溶媒を揮散させて構成されている。
これによれば、４−アミノ−４−フェニル−３−エン−２−オンとホルムアルデヒドとの反応により生成するルチジン体の特異的な吸収波長の吸光度を検出することにより、高い感度でホルムアルデヒドを検出することができる。
【０００７】
【実施例】
そこで以下に本発明の詳細を実施例に基づいて説明する。
４−アミノ−４−フェニル−３−エン−２−オン（４−ａｍｉｎｏ−４−ｐｈｅｎｙｌ−３−ｅｎｅ−２−ｏｎｅ）とリン酸緩衝液（ｐＨ２．５）とを揮散容易な溶媒、例えばメタノールに溶解させて調製した発色液を、少なくとも表面にシリカゲルを含有する板状の基材に含侵させ、メタノールなどの液を揮散させると本発明の検知材が完成する。
【０００８】
なお、式１で示す４−アミノ−４−フェニル−３−エン−２−オンは次のようにして合成することができる。
【式１】
2004157103.tif 000002
ディーンスタークトラップを取付けた２００ｍｌの三っ口フラスコに、１−フエニル−１，３−ブタンジオン３．２４Ｒ（０．０２ｍｏｌ）、乾燥ベンゼン６０ｍｌ、酢酸アンモニウム３．０８ｇ（０．０４  ｍｏｌ）、酢酸１．０  ｍｌを加え、窒素気流下、１２時間還流した。放冷後、水で洗浄し、無水硫酸ナトリウムで乾燥した。溶媒を減圧留去後、カラムクロマトグラフィ―（ＳｉＯ２）で精製する。
【０００９】
基材は、シリカゲル粒子を圧縮して板状に成形したものや、ガラスなどのベース材の表面にシリカゲル粒子の層を形成したもの、さらにはセルロース等の繊維とシリカゲル粒子とを混合して板状に漉いたものなどを使用することができる。
【００１０】
このような検知材１は、例えば例えば特開平０７−２２９８８９号公報に開示されているような図５（イ）に示した一方の面に開口１ａを備えた凹部に載置してユニット２に構成すると、図５（ロ）に示した携帯用検出装置にセットして簡便にホルムアルデヒドを検出することができる。
【００１１】
この検出装置は、ガス吸引手段３と、測定ヘッド４と、測定ヘッドの光学濃度の変化を検出する信号処理手段とを、測定ヘッドの一部を窓５から露出させるようにケース６に収容して構成され、ガス吸引手段３により吸引したガスをユニット２にあてるように構成されている。なお、図中符号８は、蓋体を、また符号９はガス吸引口を示す。
【００１２】
このように構成された検知材は、図１の曲線Ａに示したように、３５０ｎｍをピークとし、４００ｎｍで吸収が無くなる吸光特性を有する。
【００１３】
一方、上記検知材を、例えば特開平０７−２２９８８９号公報に開示されている測定装置にセットしてホルムアルデヒドを含む雰囲気に晒すと、ホルムアルデヒドがシリカゲル粒子の触媒作用を受けて４−アミノ−４−フェニル−３−エン−２−オンと反応して、
【式２】
2004157103.tif 000003
なる反応により検知材の表面にホルムアルデヒドの濃度に応じて１−（５−ａｃｅｔｙｌ−２，４−ｄｉｐｈｅｎｙｌ−３Ｈ，６Ｈ−３−ａｚｉｎｙｌ）ｅｔｈａｎ−１−ｏｎｅなるルチジン体が生成する。
【００１４】
このルチジン体は、図１の曲線Ｂに示したように４−アミノ−４−フェニル−３−エン−２−オンが吸収特性を示さない波長４００ｎｍより長波長にも吸収特性を有するため、この波長、例えば波長４３０ｎｍの吸光度を、例えば青色発光ダイオード６からの光を照射することにより、受光手段７により特異的に検出することができる。
【００１５】
４−アミノ−４−フェニル−３−エン−２−オンを１Ｗｔ％、リン酸緩衝液を２０Ｖ／Ｖ％をずつメタノールに溶解させて発色液を調整して、上記手法により検知材を製造し、それぞれ暴露時間（サンプリング時間）を５分（符号Ａ）、１０分（符号Ｂ）、１５分（符号Ｃ）に設定し、ホルムアルデヒドの濃度を換えて吸光度を測定したところ、図２に示したような結果を得た。
このことから、０．０５ｐｐｍから０．７ｐｐｍ程度のホルムアルデヒドを確実に検出できることが判明した。
【００１６】
つぎに、リン酸緩衝液の濃度を一定（２０Ｖ／Ｖ％）にして４−アミノ−４−フェニル−３−エン−２−オンの濃度を変えた検知材を作成し、ホルムアルデヒドを含有しない空気（符号Ａ）、及びホルムアルデヒドを含む空気に５分（符号Ｂ）、１０分（符号Ｃ）、１５分（符号Ｄ）に晒したところ、図３に示すような結果を得た。
このことから、４−アミノ−４−フェニル−３−エン−２−オンを０．５ｗｔ％含む発色試薬が、ブランク値が最も小さく、相対感度が高くなることが判明した。
【００１７】
さらに、４−アミノ−４−フェニル−３−エン−２−オンを一定値（１Ｗｔ％）とし、リン酸緩衝液の濃度を変えた発色液を調整し、前述の手法で検知材を製作し、ホルムアルデヒドに対する感度を調査したところ、図４に示すような結果を得た。
このことから、感度は、リン酸緩衝液の濃度に比例することが確認されたが、乾燥などの点を考慮すると、リン酸緩衝液の濃度は１０Ｖ／Ｖ％程度に抑えるのが望ましいことが判明した。
【図面の簡単な説明】
【図１】発色試薬自体と、発色試薬とホルムアルデヒドとの反応体との吸光スペクトルを示す線図である。
【図２】本発明の検知材のホルムアルデヒドに対する吸光度の変化を、サンプリング時間をパラメータとして示す線図である。
【図３】本発明の検知材の４−アミノ−４−フェニル−３−エン−２−オンに対する吸光度の変化を、サンプリング時間をパラメータとして示す線図である。
【図４】本発明の検知材のリン酸緩衝液の濃度に対する吸光度の変化を示す線図である。
【図５】図（イ）、（ロ）は、それぞれ本発明の検知材の一形態と測定装置との実施例を示す図である。
【図１】
2004157103.tif 000004
【図２】
2004157103.tif 000005
【図３】
2004157103.tif 000006
【図４】
2004157103.tif 000007
【図５】
2004157103.tif 000008